(57)【要約】【課題】生え癖を原因とする絡みを解消することは考えられてはいなかった。【解決手段】ヘアブラシ１は、複数のピン毛３が植設されたブラシ部５と、ブラシ部５に連設された把持部としての柄７とを有している。ブラシ部５は、人体の頭部形状にほぼ沿う湾曲形状のブラシ台座９を有し、このブラシ台座９の片面に複数のピン毛３が植設されている。左右方向（ＬＲ）に繰り返し動かすと、ピン毛３の移動方向先側に当たっていた毛髪が連れ移動される。この連れ移動の際にはピン毛３を伝わって浮き上がっていく。従って、連れ移動されずに残された側の毛髪とは離されて、絡みが解かれる。そのまま、この絡みが解れた状態から、ヘアブラシ１を頭皮から離すことなく、梳かすことで、絡みを解した状態で、梳かし切ることができる。【選択図】  図１
2020018648.tif 000002
【特許請求の範囲】
【請求項１】
複数のピン毛が植設されたブラシ部を有するヘアブラシであって、
前記ブラシ部の少なくとも植設面側が人体の頭部形状にほぼ沿う湾曲形状を有していることを特徴とするヘアブラシ。
【請求項２】
請求項１に記載したヘアブラシにおいて、
前記ブラシ部全体が湾曲した形状を有し、該ブラシ部に把持部が連設されていることを特徴とするヘアブラシ。
【請求項３】
請求項２に記載したヘアブラシにおいて、
前記植設面が、湾曲方向に直交する方向から見て、凸面になっていることを特徴とするヘアブラシ。
【請求項４】
請求項１から３のいずれかに記載したヘアブラシにおいて、
前記複数のピン毛が、前記植設面からの突出高さが異なる複数種類のピン毛から構成されていることを特徴とするヘアブラシ。
【請求項５】
請求項４に記載したヘアブラシにおいて、
１箇所の植設部位に突出高さが異なる複数本のピン毛がピン毛束として植設され、このピン毛束が列状に配置されていることを特徴とするヘアブラシ。
【請求項６】
請求項１から５のいずれかに記載したヘアブラシの使用方法において、
植設面の湾曲形状を頭部に沿わせ、ピン毛を頭皮に当てた状態で左右に動かすことで前記ピン毛に当たった毛髪を浮き上がらせて絡みを解き、
そのまま、前記ピン毛を頭皮に当てた状態で毛髪を揃えたい方向に梳くように動かすことで、毛流れを揃えることを特徴とする使用方法。
【請求項７】
請求項６に記載したヘアブラシの使用方法において、
湾曲方向側の一方の縁を頭皮から起こすように回転させながら梳くことを特徴とする使用方法。
【発明の詳細な説明】
【技術分野】
【０００１】
本発明は、毛髪を梳かすのに使用するヘアブラシに関するものである。
【背景技術】
【０００２】
ヘアブラシは、通常、ピン毛（ブラシ毛）が起立状態に植設されたブラシ部と、手で持つための把持部（柄）とから構成されており、特許文献１には、その典型的なものが示されているが、ブラシ部は真っ直ぐになっている。
毛髪を梳かす場合には、そのブラシ部を頭皮に当てて、ピン毛で毛髪を動かすことにより毛髪の方向を揃えることになる。
【先行技術文献】
【特許文献】
【０００３】
【特許文献１】特開２０１７−１８９４７７号公報
【発明の概要】
【発明が解決しようとする課題】
【０００４】
ところで、誰にでも「つむじ」があるが、この「つむじ」により生え癖が出るので、生え癖により曲がった毛と生え癖が出ていない毛とで絡みが生じる。その部分はヘアブラシで梳かすことができないので、そのまま絡んだ状態で残り、それらの影響が大きく出たときには、分け目ができたり、ボリュームが出過ぎたり、逆に出無さ過ぎたり、長く伸ばしているときには跳ねたりしてしまう。
その場合、絡み部分はそのままに、気になる箇所にアイロンを当てて矯正する等対症療法的対応で済ませているのが現状である。
【０００５】
このように、従来は、生え癖を原因とする絡みを解消することは考えられてはいなかった。
本発明はこのような現状に鑑みて創案されたもので、形状の工夫されたヘアブラシを使用して、上記のような絡みの容易な解し方を提案することを、その目的とする。
【課題を解決するための手段】
【０００６】
本発明は、上記目的を達成するために為されたものであり、請求項１の発明は、複数のピン毛が植設されたブラシ部を有するヘアブラシであって、前記ブラシ部の少なくとも植設面側が人体の頭部形状にほぼ沿う湾曲形状を有していることを特徴とするヘアブラシである。
【０００７】
請求項２の発明は、請求項１に記載したヘアブラシにおいて、前記ブラシ部全体が湾曲した形状を有し、該ブラシ部に把持部が連設されていることを特徴とするヘアブラシである。
【０００８】
請求項３の発明は、請求項２に記載したヘアブラシにおいて、前記植設面が、湾曲方向に直交する方向から見て、凸面になっていることを特徴とするヘアブラシである。
【０００９】
請求項４の発明は、請求項１から３のいずれかに記載したヘアブラシにおいて、前記複数のピン毛が、前記植設面からの突出高さが異なる複数種類のピン毛から構成されていることを特徴とするヘアブラシである。
【００１０】
請求項５の発明は、請求項４に記載したヘアブラシにおいて、１箇所の植設部位に突出高さが異なる複数本のピン毛がピン毛束として植設され、このピン毛束が列状に配置されていることを特徴とするヘアブラシである。
【００１１】
請求項６の発明は、請求項１から５のいずれかに記載したヘアブラシの使用方法において、植設面の湾曲形状を頭部に沿わせ、ピン毛を頭皮に当てた状態で左右に動かすことで前記ピン毛に当たった毛髪を浮き上がらせて絡みを解き、そのまま、前記ピン毛を頭皮に当てた状態で毛髪を揃えたい方向に梳くように動かすことで、毛流れを揃えることを特徴とする使用方法である。
【００１２】
請求項７の発明は、請求項６に記載したヘアブラシの使用方法において、湾曲方向側の一方の縁を頭皮から起こすように回転させながら梳くことを特徴とする使用方法である。
【発明の効果】
【００１３】
本発明のヘアブラシを使用すれば、簡単な動かし方で生え癖を原因とする絡みを解かして、所望の方向に毛流れを揃えることができる。
従って、日常生活におけるヘアスタイリングの満足度を高めることができる。
【図面の簡単な説明】
【００１４】
【図１】本発明の実施の形態に係るヘアブラシの斜視図である。
【図２】図１とは反対側から見た上下逆向きの斜視図である。
【図３】図２の状態から見る角度を変えた斜視図及び部分拡大図である。
【図４】図１で示したヘアブラシをその植設面側から見た平面的な斜視図である。
【図５】図１で示したヘアブラシの使用方法の説明図である。
【図６】図５とは別の方向から示す説明図である。
【図７】図５、図６とは別の方向から示す説明図である。
【図８】ヘアブラシのピン毛が毛髪の絡みに入った状態を示すイメージ図である。
【図９】整髪前の毛髪状態を示すイメージ図である。
【図１０】整髪中の毛髪状態を示すイメージ図である。
【図１１】整髪完了後の毛髪状態を示すイメージ図である。
【発明を実施するための形態】
【００１５】
本発明の実施の形態に係るヘアブラシを図面にしたがって説明する。
図１〜図４に示すように、ヘアブラシ１は、複数のピン毛３が植設されたブラシ部５と、ブラシ部５に連設された把持部としての柄７とを有している。ブラシ部５は、長方形の平板を人体の頭部形状にほぼ沿うように湾曲した形状になっており、頭部に向ける側が凹側になっている。また、この凹側は、湾曲方向に直交する方向から見ると僅かに膨らんで凸状半球面になっている。
この凹側がブラシ台座９になっており、このブラシ台座９の凹側に複数のピン毛３が植設されている。
【００１６】
柄７は、合成樹脂でブラシ台座９と一体成形されており、ピン毛３も同じ合成樹脂でブラシ台座９に一体成形されている。ブラシ台座９、ピン毛３及び柄７の材質としては、例えばＡＢＳ樹脂やポリアセタール、ナイロン等を採用することができる。
ブラシ台座９に対する柄７の連設の概念は、一体成形の他に別部材として取り付ける構成を含む。
【００１７】
図３の囲み円１１の部位における部分拡大図から明らかなように、ピン毛３は、ブラシ台座９の凹面である植設面９ａから略垂直に起立した状態に植設されている。また、複数のピン毛３は、植設面９ａからの突出高さが異なる複数種類（ここでは長毛、中毛、短毛の３種類）のピン毛３ａ、３ｂ、３ｃから構成されている。
３本のピン毛３ａ、３ｂ、３ｃは、１箇所の植設部位１３に１組の毛束１５として植設されている。図４に示すように、複数の毛束１５がブラシ台座９の長手方向に列をなすように配置され、且つ、ブラシ台座９の長手方向と直交する方向に複数列配置されている。即ち、毛束１５は植設面９ａにおいて、ブラシ台座９の長手方向及び／又は該長手方向と直交する方向に列状に配置されている。
各毛束１５の３本のピン毛３ａ、３ｂ、３ｃはそれぞれ長さが異なるので、各ピン毛３ａ、３ｂ、３ｃの先端をブラシ台座９の長手方向に結んだ仮想線も人体の頭部形状にほぼ沿う湾曲形状となる。
生え癖を原因とする絡みの解消に特に好ましいものは、毛束１５は植設面９ａにおいて５ｍｍ間隔で配置され、最も長いピン毛３ａの長さは２〜２．２ｃｍで、中間のピン毛３ｂはピン毛３ａより３〜４ｍｍ短く、最も短いピン毛３ｃはピン毛３ｂより３〜４ｍｍ短くなって、ピン毛３ａ、３ｂ、３ｃが放射状に拡がったものである。
また、中央部と端では長さを変えることも可能であり、例えば、上記の最も長いピン毛３ａの長さを、端が中央部よりも数ミリ長くなるように設定することも可能である。
【００１８】
本実施の形態では、ブラシ部５の本体部をブラシ台座９が兼ねる構成としたが、図１等に示す、人体の頭部形状にほぼ沿う湾曲形状の本体部に別体のピン毛３を植設した弾性変形可能なブラシ台座を嵌め込む構成としてもよい。
ピン毛３の材質としてはナイロン等の他に、豚や猪などの動物の毛を採用してもよい。柄７やブラシ台座９の材質には、黒檀やローズウッド、カリン、ブナ等の木質系を採用してもよいが、合成樹脂の場合には湾曲形状を容易に得ることができ、製造コストの低減を図ることができる。
【００１９】
図５〜図７を参照して、本実施の形態に係るヘアブラシ１の推奨する使用方法を説明する。
図５は額の近傍においてヘアブラシ１を頭部に合わせた状態を示している。上記のようにブラシ台座９は人体の頭部形状にほぼ沿う湾曲形状を有しているため、多数のピン毛３が毛髪側に向かっている。このとき、植設面９ａは凸状半球面になっており、後頭部側半部９ａ（ｒ）が頭皮１７に当たり、残りの額側半部９ａ（ｆ）が反り返って頭皮１７から離れた状態にするのがポイントである。
【００２０】
図５に示す状態でヘアブラシ１を左右方向（矢印ＬＲ方向）に繰り返し動かした後に、ヘアブラシ１を頭皮１７から離さずに、図６の矢印に示すように、ヘアブラシ１を半回転させて額側半部９ａ（ｆ）を頭皮１７に当てながら、図７に示すように、後ろ（矢印Ｂ方向）に動かす。
この結果として、毛の流れが綺麗に揃った状態に梳かすことができる。
そのメカニズムを推測して以下で説明する。
【００２１】
図５に示す状態を、ピン毛３ａ、３ｂ、３ｃと毛髪に着目する。
ヘアブラシ１を頭皮１７に当てると、図８に示すように、ピン毛３ａ、３ｂ、３ｃの長さがそれぞれ異なるので、それぞれの長さに応じて、ピン毛３ａ、３ｂ、３ｃの先端部が毛髪１９ａ、１９ａ’の絡み部分、毛髪１９ｂ、１９ｂ’の絡み部分、毛髪１９ｃ、１９ｃ’の絡み部分にそれぞれ入り込む。
【００２２】
そして、左右方向（ＬＲ）に繰り返し動かすと、ピン毛３の移動方向先側に当たっていた毛髪が連れ移動される。この連れ移動の際にはピン毛３を伝いながら上がって浮き上がっていく。従って、連れ移動されずに残された側の毛髪とは離されて、絡みＫが解かれる。
例えば、毛髪１９ａ、１９ａ’では、生え癖の出ている毛髪１９ａ’が、毛髪１９ｂ、１９ｂ’では、生え癖の出ている毛髪１９ｂ’が、毛髪１９ｃ、１９ｃ’では、生え癖の出ている毛髪１９ｃ’がそれぞれ強制的に浮き上がって、連れ移動されずに残された毛髪１９ａ、１９ｂ、１９ｃとの絡みＫが解かれることになる。
【００２３】
この絡みＫが解れた状態から、ヘアブラシ１を頭皮１７から離すことなく、梳かすことで、絡みＫを解した状態で、梳かし切ることができる。
一旦、絡みＫが解れた状態になっても、頭皮１７からヘアブラシ１を離すと、絡みＫが再びできてしまうことから、ヘアブラシ１を頭皮１７から離さないことが使用方法のポイントとなっている。
【００２４】
図６に示すように、ヘアブラシ１を半回転させながら、図７に示すように梳かすと、図５の左右方向に動かしたときに使われた額側半部９ａ（ｒ）だけでなく、残りの半部９ａ（ｆ）が頭皮１７に当たり、絡みＫが緩く残った部分も綺麗に梳かすことができる。
ヘアブラシ１を使用して上記のように動かすことで、特別なテクニックが無くとも、絡みＫを綺麗に無くすことができる。
【００２５】
図９は、毛髪１９がランダムに寝て絡み合っている状態、即ち髪を梳かす前の状態を上方から示している。生え癖が出て、多数の絡みＫが発生している。
この状態から、絡みＫが解されて、図１０（ヘアブラシ１は図示省略）に示す状態になる。なお、この段階では、毛髪の伸びる方向はバラバラなので、上方から見ると交差はしているが、絡みＫは解けている。
そして、その後、ヘアブラシ１を頭皮１７から離さずに、即ち毛髪１９をピン毛３ａ、３ｂ、３ｃに載せたままの状態で図６、図７に示すように後ろに動かすと、梳かし切られ、図１１に示すように毛の流れが一方向に揃えられて、整髪が完了する。
【００２６】
以上、本発明の実施の形態について詳述してきたが、具体的構成は、この実施の形態に限られるものではなく、本発明の要旨を逸脱しない範囲における設計の変更などがあっても発明に含まれる。
例えば、上記実施の形態ではブラシ部５のブラシ台座９を厚みが一定の板材で形成し、その全体を人体の頭部形状にほぼ沿うように湾曲させる構成としたが、厚肉のブラシ台座の片面（植設面）のみを頭部形状にほぼ沿うように湾曲させる構成としてもよい。
【符号の説明】
【００２７】
１…ヘアブラシ      ３…ピン毛      ３ａ…長毛のピン毛      ３ｂ…中毛のピン毛
３ｃ…短毛のピン毛  ５…ブラシ部    ７…把持部としての柄    ９…ブラシ台座
９ａ…植設面      １３…植設部位  １５…ピン毛束          １７…頭皮
１７ａ…毛根        １９ａ、１９ｂ、１９ｃ…毛髪
【図１】
2020018648.tif 000003
【図２】
2020018648.tif 000004
【図３】
2020018648.tif 000005
【図４】
2020018648.tif 000006
【図５】
2020018648.tif 000007
【図６】
2020018648.tif 000008
【図７】
2020018648.tif 000009
【図８】
2020018648.tif 000010
【図９】
2020018648.tif 000011
【図１０】
2020018648.tif 000012
【図１１】
2020018648.tif 000013